(57)【要約】【課題】デッキの美観を保持し安全性を確保するともに敷設する床面に対応させて、組立が容易なデッキを提供する。【解決手段】デッキ１は、各々複数本ずつの桁材１３と根太材１４とからなる構造体１１上に複数本の長尺床材１２が敷設されてなり、構造体１１上における長尺床材１２の反りを防止する。構造体１１は、複数本の桁材１３が一定の間隔をとって平行に配され、これら桁材１３上に根太材１４が井桁状に組むように一定の間隔をとって平行に配されている。【選択図】図２
2004019353.tif 000002
【特許請求の範囲】
【請求項１】
各々複数本ずつの桁材と根太材とを直交状態に接合して形成された構造体上に、複数本の長尺床材が一定の間隔をとって敷設されてなり、前記構造体上に敷設されることにより前記長尺床材の反りを防止することを特徴とするデッキ。
【請求項２】
前記長尺床材は、合成樹脂あるいは合成樹脂に木粉が充填された合成木材からなることを特徴とする請求項１に記載のデッキ。
【請求項３】
前記桁材の側面に前記根太材と接合する接合片が設けられ、根太材の側面に桁材と接合する接合片が設けられ、これら接合片同士を重ねて接合することにより構造体が形成されたことを特徴とする請求項１または２に記載のデッキ。
【請求項４】
前記桁材の端部と前記根太材の端部、または、桁材の側面と根太材の端部に接合するジョイント材が設けられ、このジョイント材を介して桁材と根太材とを接合して構造体が形成されたことを特徴とする請求項１または２に記載のデッキ。
【請求項５】
前記長尺床材の側縁部に沿って側縁材が取付けられてなり、この側縁材の上部には前記長尺床材の側縁部を覆う被覆部が延出され、この被覆部が長尺床材の側縁部に係合されたことを特徴とする請求項１乃至４のいずれかに記載のデッキ。
【請求項６】
前記側縁材は、上部側縁材と下部側縁材とからなり、これら上部側縁材と下部側縁材とにはそれぞれ互いに嵌合する嵌合部が設けられたことを特徴とする請求項５に記載のデッキ。
【請求項７】
前記構造体の下面側に、緩衝材が取付けられたことを特徴とする請求項１乃至６のいずれかに記載のデッキ。
【発明の詳細な説明】
【０００１】
【発明の属する技術分野】
本発明は、床面に敷設せずに置いて敷くデッキに関する。
【０００２】
【従来の技術】
バルコニー等の防水が施されている床面に敷くデッキは、並列に配された根太材上に複数本の長尺床材が、根太材と直交して敷設されてなる。近年、ここで用いる長尺床材には、天然木材の外観と遜色のない合成樹脂あるいは合成樹脂に木粉が充填された合成木材が用いられている。
【０００３】
【発明が解決しようとする課題】
しかし、この合成樹脂あるいは合成樹脂に木粉が充填された合成木材からなる長尺床材は、太陽光を浴びると加熱される。この加熱によって長尺床材表裏面の伸縮差が生じ、太陽光を浴びる状態が続くと長尺床材は、その長手方向に経時的に表向きに反り上がる。また、この長尺床材が、吸水し易い合成樹脂に木粉が充填された合成木材からなる場合、吸水により長尺床材表裏面の伸縮差が生じ、これが原因となって長尺床材が、その長手方向に表向きに反り上がる。この長尺床材の表向きの反り上がりは、デッキの美観を損ねたり、長尺床材表面に水を溜まりやすくさせたり、また、歩行時に隣接する長尺床材同士の突き合わせ部位でつまずいて怪我をしたりする原因となる。
【０００４】
また、上記した長尺床材は、敷く床面に合わせてその長手方向および根太方向の寸法を調整する必要があり、縦切りを施すことがある。長尺床材を縦切りする場合、縦切りした端部が波打って見えたり、反り返りが生じたりすることにより、デッキの美観を損ね、また、安全性を欠く。また、長尺床材の材質が合成樹脂あるいは合成樹脂に木粉が充填された合成木材である場合、天然木等と異なり、縦切りすると、成型時の残留応力が開放されることから、湾曲しやすくなる。
【０００５】
また、様々な形状、大きさのバルコニーの床面にデッキを敷設するには、その床面に対応させるデッキを組み立てる必要がある。例えば、このバルコニーの床面では、サッシ下の水切りや手すり下の水切り等が施されている場合がある。この床面にデッキを敷く場合、まず、根太材が並列に配される。配された根太材上に複数本の長尺床材が根太材と直交して配され、長尺床材が長尺床材表面からねじを用いて根太材に固定されて、デッキが組み立てられる。
【０００６】
しかし、サッシ下の水切りや手すり下の水切り等が施されているバルコニーの床面では、手すり下やはきだしのサッシの受け（レール）やサッシ下の水切りが妨害となり、電動ドライバー等工具を使って上方からねじで長尺床材を固定することが困難である。
【０００７】
そこで、上記課題を解決するために、本発明は、デッキの美観を保持し安全性を確保するともに敷設する床面に対応させて、組立が容易なデッキを提供することを目的とする。
【０００８】
【課題を解決するための手段】
上記目的を達成するため本発明に係るデッキは、各々複数本ずつの桁材と根太材とを直交状態に接合して形成された構造体上に、複数本の長尺床材が一定の間隔をとって敷設されてなり、上記構造体上に敷設されることにより上記長尺床材の反りを防止することを特徴とする。
【０００９】
この発明によれば、構造体上に複数本の長尺床材が一定の間隔をとって敷設されてなるので、吸水による長尺床材表裏面の伸縮差から発生する反り上がりや、熱による長尺床材表裏面の伸縮差から発生する反り上がりを防止して、デッキ上を歩行する人が反り上がりにつまずくのを防止することが可能となり、反り上がりによるデッキの美観を損ねることもない。特に、吸水性のある合成樹脂に木粉が充填された合成木材製長尺床材を用いた場合に、その効果が顕著に現れる。
【００１０】
また、各々複数本ずつの桁材と根太材とを直交状態に接合して形成された構造体上に、複数本の長尺床材が一定の間隔をとって敷設されているので、構造体を自由に形成することが可能となり、任意の形状の床面に対応させて構造体を延設することが可能となる。
【００１１】
上記した構成において、上記長尺床材は、合成樹脂あるいは合成樹脂に木粉が充填された合成木材からなってもよい。
【００１２】
この場合、太陽光を浴びる状態が続いても長尺床材が、その長手方向に経時的に表向きに反るのを防止することが可能となる。
【００１３】
上記した構成において、上記桁材の側面に上記根太材と接合する接合片が設けられ、根太材の側面に桁材と接合する接合片が設けられ、これら接合片同士を重ねて接合することにより構造体が形成されてもよい。
【００１４】
この場合、桁材と根太材とに接合片が設けられているので、長尺床材を敷設する面が平坦な構造体を形成することが可能となり、その結果、長尺床材と構造体とからなるデッキの高さを抑えることが可能となる。そのため、人がバルコニーから転落するのを防止するようデッキ床面からバルコニーなどの手すりまでの高さを確保することが可能な構造体を自由に形成することが可能となり、任意の形状の床面に対応させて構造体を延設することが可能となる。
【００１５】
上記した構成において、上記桁材の端部と上記根太材の端部、または、桁材の側面と根太材の端部に接合するジョイント材が設けられ、このジョイント材を介して桁材と根太材とを接合して構造体が形成されてもよい。
【００１６】
この場合、桁材と根太材とを接合するジョイント材が設けられているので、長尺床材を敷設する面が平坦な構造体を形成することが可能となり、その結果、長尺床材と構造体とからなるデッキの高さを抑えることが可能となる。そのため、人がバルコニーから転落するのを防止するようデッキ床面からバルコニーなどの手すりまでの高さを確保することが可能な構造体を自由に形成することが可能となり、任意の形状の床面に対応させて構造体を延設することが可能となる。
【００１７】
上記した構成において、上記長尺床材の側縁部に沿って側縁材が取付けられてなり、この側縁材の上部には上記長尺床材の側縁部を覆う被覆部が延出され、この被覆部が長尺床材の側縁部に係合されてもよい。
【００１８】
この場合、被覆部により長尺床材の反り上がりを防止して、デッキ上を歩行する人が反り上がりにつまずくのを防止することが可能となり、反り上がりによるデッキの美観を損ねることもない。また、被覆部により長尺床材の側縁部を覆い隠すので、長尺床材表面からねじ等緊結材で長尺床材を構造体上に敷設してもその緊結材も同時に覆い隠してデッキの美観を保つことが可能となる。また、長尺床材の側縁部に用いる緊結材の代わりに、側縁材の被覆部を用いることが可能となる。
【００１９】
構造体上に複数本の長尺床材を一定の間隔をとって敷設するが、最後に配した長尺床材が構造体上に収まらず、構造体上から長尺床材の一部がはみ出した場合、そのはみ出した部分を組立現場で縦切りする必要がある。この時、切断面が構造体に沿って切断されなかったり、切断不良により反り返りが生じたりする。しかし、本願発明によれば、側縁材の上部に長尺床材の側縁部を覆う被覆部が延出されているので、その切断部位に沿って側縁材を取付けて被覆部により切断部位を覆い隠すことが可能であり、切断部位を覆い隠すことでデッキの美観を保ち、かつ、安全性を向上させることが可能となる。また、切断することで生じる残留応力により湾曲した縦切り長尺床材を係合された被覆部により押さえつけることにより、湾曲した長尺床材をまっすぐに矯正することが可能となり、縦切りした長尺床材の構造体への敷設が容易になり、任意の形状の床面にデッキを敷くことが可能となる。
【００２０】
上記した構成において、上記側縁材は、上部側縁材と下部側縁材とからなり、これら上部側縁材と下部側縁材とにはそれぞれ互いに嵌合する嵌合部が設けられてもよい。
【００２１】
この場合、デッキを敷く床面の上空に手すりやサッシ下の水切り等、床面に張り出した部分があっても、先に下部側縁材を構造体上に取付け、長尺床材を構造体上に敷設した後に上部側縁材を下部側縁材に嵌合して側縁材を取付けるので、手すりやサッシ下の水切り等、床面に張り出した部分を気にせずに容易に床面にデッキを敷き、側縁材を取付けることが可能となる。また、緊結材を用いて下部側縁材を構造体に取付ける場合であっても、緊結材を上部側縁材で隠すことが可能となり、外観上好ましい。また、長尺床材の側縁部に用いる緊結材の代わりに、上部側縁材の被覆部を用いることが可能となる。
【００２２】
上記した構成において、上記構造体の下面側に、緩衝材が取付けられてもよい。
【００２３】
この場合、緩衝材により、デッキ上を歩行したとき等の音鳴りを解消することが可能となる。また、床面と構造体との間に空隙が生じるので、この空隙からデッキ上の水を排水することが可能となる。
【００２４】
【発明の実施の形態】
以下、本発明の実施の形態について図面を参照して説明する。
＜実施の形態１＞
デッキ１は、図１に示すように、構造体１１上に、合成樹脂または合成樹脂に木粉が充填された合成木材からなる複数本の長尺床材１２が敷設されてなり、床面（図示省略）に敷く。
【００２５】
構造体１１は、図１（ｂ）に示すように、アルミニウムから成形された各々複数本ずつの桁材１３と根太材１４とからなる。この構造体１１は、複数本の桁材１３が一定の間隔をとって平行に配され、これら桁材１３上に根太材１４が井桁状に組むように一定の間隔をとって平行に配され、これら桁材１３と根太材１４とがねじＡを用いて接合されて形成される（図５（ａ）参照）。また、構造体１１の下面には、合成ゴム性発泡体からなる緩衝材１５が取付けられている（図５（ａ）参照）。
【００２６】
長尺床材１２は長尺体からなる。複数本の長尺床材１２が、根太材１４と直交するように構造体１１上に一定の間隔をとって配され、複数本の長尺床材１２がデッキ固定部材１６を用いて連結して構造体１１に敷設される（図２参照）。
【００２７】
このデッキ固定部材１６は、図２に示すように、隣接する長尺床材１２同士を連結するとともに長尺床材１２を根太材１４に固定するためのものであり、図３に示すように、取付板部１６１とスペーサ部１６２と係止部１６３とを有している。取付板部１６１は、ねじＡを用いて根太材１４と接合される部分であり、デッキ固定部材１６の底面を形成している。この取付板部１６１には、その長手方向中央部にねじ孔１６４が設けられている。また、スペーサ部１６２は、隣接する長尺床材１２の相互間隔を保持させるためのものであり、取付板部１６１の両端から立ち上げ形成されている。また、係止部１６３は、その先端縁において長尺床材１２と係合されるものであり、スペーサ部１６２の先端部１６５をそれぞれ外方に向けて折曲するとともに、さらにその先端を内側に向けて斜め上方に折り返すことにより形成されている。
【００２８】
また、構造体１１の両端部１１１、１１２（図５参照）上には、デッキ１の美観を保持し安全性を確保するために長尺床材１２の側縁部１２１に沿ってアルミニウムからなる側縁材１７が取付けられている（図５（ｂ）、（ｄ）参照）。
【００２９】
この側縁材１７は、図４に示すように、中空部１７１を有する長尺体からなり、その上面１７２の長手方向中央部にねじ溝１７３が設けられている。このねじ溝１７３にねじＡを表面から裏面に打ち付け貫通させることで、図２に示すように、側縁材１７が構造体１１に取付けられている。また、この側縁材１７の上面１７２には、長尺床材１２の側縁部１２１の表面１２２を覆うために被覆部１７４がその平面上に延出され、この被覆部１７４の先端部１７５は下方に折曲して形成されている。この被覆部１７４は、その先端部１７５において長尺床材１２の側縁部１２１の表面１２２と係合されるものである。
【００３０】
次に、このデッキの組立工程について、図２、図５を用いて以下に詳説する。
【００３１】
図５（ａ）に示すように、複数本の桁材１３が一定の間隔をとって平行に配され、これら桁材１３上に根太材１４が井桁状に組むように一定の間隔をとって平行に配される。これら桁材１３と根太材１４とがねじＡを用いて接合されて、構造体１１が形成される。これら桁材１３と根太材１４とが交わっているその下面に、緩衝材１５が取付けられる。緩衝材１５が取付けられた後、図５（ｂ）に示すように、構造体１１の桁方向（Ｘ方向）に沿ってその一端部１１１に側縁材１７が配され、図２に示すように、ねじＡを側縁材１７のねじ溝１７３から根太材１４に挿通して側縁材１７が根太材１４に取付けられる。この側縁材１７に隣接させるように長尺床材１２が、図５（ｃ）に示すように、その側縁部１２１を側縁材１７に沿うように構造体１１上に配され、側縁材１７の先端部１７５に係合される。構造体１１上に配された長尺床材１２に、デッキ固定部材１６の係止部１６３が係合され、デッキ固定部材１６が根太材１４にねじＡを取付板部１６１のねじ孔１６４から根太材１４に挿通されて固定されて、長尺床材１２が構造体１１上に敷設される。そして、構造体１１に敷設された長尺床材１２に隣接させるように、デッキ固定部材１６の他の係止部１６３に他の長尺床材１２が係合され、図２に示すように、隣接した長尺床材１２同士が連結されるとともにデッキ固定部材１６を介して根太材１４に敷設される。以下、同様の工程を繰り返し、複数本の長尺床材１２が構造体１１上に敷設される。そして、図５（ｄ）に示すように、構造体１１の根太方向（Ｙ方向）にその他端部１１２まで長尺床材１２が敷設された後に、その構造体１１の他端部１１２上に敷設された長尺床材１２に沿って側縁材１７が配される。配された側縁材１７の先端部１７５が長尺床材１２の側縁部１２１の表面１２２に係合されるとともに、ねじＡを用いて側縁材１７が根太材１４に取付けられて、デッキ１が組み立てられる。
【００３２】
なお、長尺床材１２の反り上がり量は以下に示す数式から計算される。
【００３３】
長尺床材１２のみの時の長尺床材１２の反り量δ；δ＝（１／４８）×（Ｗ×Ｌ×Ｌ×Ｌ）／（Ｅ×Ｉ）・・・（１）
（Ｅ：長尺床材１２のヤング率　　Ｉ：長尺床材１２の断面２次モーメント　　Ｌ：支点間距離　　（Ｅ×Ｉ）：長尺床材１２の曲げ剛性）
構造体１１を用いた時の長尺床材１２の反り量δ’；δ’＝（１／４８）×（Ｗ×Ｌ×Ｌ×Ｌ）／（Ｅ’×Ｉ’）’＝δ×（Ｅ×Ｉ）／（Ｅ’×Ｉ’）’・・・（２）
（（Ｅ’×Ｉ’）’：長尺床材１２と桁材１３とを組み合わせた曲げ剛性）
これらの数式（１）、（２）により、長尺床材１２のみの時の反り量δと、構造体１１を用いた時の長尺床材１２の反り量δ’とを比較すると、以下に示すような数式（３）になり、この数式（３）により算出された反り量の比が小さいほど長尺床材１２の反り上がりが小さい。
【００３４】
δ／δ’＝（Ｅ×Ｉ）／（Ｅ’×Ｉ’）’・・・（３）
上記したデッキ１によれば、構造体１１上に複数本の長尺床材１２が一定の間隔をとるとともにＸ方向に沿って敷設されてなるので、長尺床材１２の反り上がりを防止して、デッキ１上を歩行する人が反り上がりにつまずくのを防止することができ、反り上がりによるデッキ１の美観を損ねることもない。また、吸水により長尺床材１２の表裏面１２３、１２４の伸縮差を無くすことができ、この伸縮差から発生しようとする長尺床材１２の反り上がりを防止することができる。
【００３５】
また、各々複数本ずつの桁材１３と根太材１４とを直交状態に接合して形成された構造体１１上に、複数本の長尺床材１２が一定の間隔をとって敷設されているので、構造体１１を自由に形成することができ、任意の形状の床面に対応させて構造体１１を延設することができる。
【００３６】
また、太陽光を浴びる状態が続いても、合成樹脂からなる長尺床材１２が、その長手方向に経時的に表向きに反るのを防止することができる。
【００３７】
また、緩衝材１５により、デッキ１上を歩行したとき等の音鳴りを解消することができる。また、床面と構造体１１との間に空隙が生じるので、この空隙からデッキ１上の水を排水することができる。
【００３８】
また、被覆部１７４およびその先端の先端部１７５により、長尺床材１２が反り上がる方向に湾曲しようとしても長尺床材１２を表面１２２から下方に押さえるので、長尺床材の反り上がりを防止して、デッキ１上を歩行する人が反り上がりにつまずくのを防止することができ、反り上がりによるデッキ１の美観を損ねることもない。また、被覆部１７により長尺床材１２の側縁部１２１を覆い隠すので、長尺床材１２の表面１２２からねじＡで長尺床材１２を構造体１１上に敷設してもそのねじＡも同時に覆い隠してデッキ１の美観を保つことができる。また、長尺床材１２の側縁部１２１に用いるねじＡの代わりに、側縁材１７の被覆部１７４の先端部１７５を用いることができる。
【００３９】
なお、構造体１１および側縁材１７はアルミニウムから成形されているが、他に鉄などの金属物から成形されていてもよい。また、構造体１１の寸法は、図６に示すように、使用用途に応じて任意に設定してもよい。そのため、任意の形状の床面に対応することができ、構造体１１を延設することができる。また、本実施の形態では複数本の長尺床材１２はすべて同一方向に配されているが、複数本の長尺床材１２を夫々任意の方向に配してもよい。また、合成ゴム性発泡体からなる緩衝材１５が取付けられているが、これに限定されることはなく、ソリッド状のものであればよく、また、合成樹脂性発泡体であってもよい。また、側縁材１７は、構造体１１の両端部１１１、１１２上の長尺床材１２に沿って配されているが、長尺床材１２に沿って配されていればこれに限定しなくてもよく、側縁材１７の本数も限定しなくてもよい。また、側縁材１７の被覆部１７４は、長尺床材１２の側縁部１２１の表面１２２を覆うものであればその形状を限定するものではなく、被覆部１７４の先端を下方に折曲しなくてもよい。また、本実施の形態１では、緊結材としてねじＡを用いているが、ビス等他の緊結材を用いてもよい。
【００４０】
次に、本発明にかかるデッキ１と同様の効果を有する他の形態のデッキを、以下の実施の形態２〜６に示す。
＜実施の形態２＞
この実施の形態２にかかるデッキ２は、上記実施の形態１にかかるデッキ１と、構造体と側縁材とが異なるだけであり、他の構成は同じである。したがって、実施の形態１と同様の構成には同一の符号を付し、その説明を省略し、実施の形態１と異なる構成を説明する。
【００４１】
構造体２１は、図７に示す複数本の桁材２２および複数本の根太材２３からなる。これら複数本の桁材２２がすべて同一方向に配され、複数本の根太材２３がすべて桁材２２と直交する方向に配され、図８に示すように、これら桁材２２と根太材２３とがジョイント部材２４により接合されて、井桁状に形成される。
【００４２】
ジョイント部材２４には、図８に示すように、Ｌ型ジョイント部材２５と、Ｔ型ジョイント部材２６と、Ｘ型ジョイント部材２７とがあり、夫々、桁材２２と根太材２３との接合点で用いられている。
【００４３】
Ｌ型ジョイント部材２５は、図９に示すように、立方体からなる本体部２５１の隣接する側面に桁材２２または根太材２３と接合する接合部２５２が設けられてなる。本体部２５１には、その上面２５３に開口を有する上方開口部２５４と下面２５５に開口を有する下方開口部２５６とが設けられている。また、接合部２５２には、その先端面２５７に開口を有する接合開口部２５８が設けられ、その先端外周縁に桁材２２および根太材２３と接合する波板部２５９が設けられている。
【００４４】
Ｔ型ジョイント部材２６は、図１０に示すように、立方体からなる本体部２６１の３側面に桁材２２または根太材２３と接合する接合部２６２が設けられてなる。他の構成は、Ｌ型ジョイント部材２５と同様であるため、その説明を省略する。
【００４５】
Ｘ型ジョイント部材２７は、図１１に示すように、立方体からなる本体部２７１の外側面全てに桁材２２および根太材２３と接合する接合部２７２が設けられてなる。他の構成は、Ｌ型ジョイント部材２５と同様であるため、その説明を省略する。
【００４６】
また、構造体２１の両端部２１１、２１２（図８参照）上には、長尺床材１２の側縁部１２１に沿ってアルミニウムからなる側縁材２８が取付けられている。この側縁材２８は、取付板部１６１のねじ孔１６４を含む実施の形態１にかかるデッキ固定部材１６を片側だけ成形したもの（図１３参照）からなる。
【００４７】
次に、このデッキ２の組立工程について、以下に詳説する。
【００４８】
図８に示すように、複数本の桁材２２がすべて同一方向に配され、複数本の根太材２３がすべて桁材２２と直交する方向に配され、これら桁材２２と根太材２３とは内部が井桁状になった矩形状に配される。そして、これら配された桁材２２と根太材２３のうち、４隅に配された桁材２２と根太材２３とは、図１２（ａ）に示すように、夫々Ｌ型ジョイント部材２５により接合される。この時、Ｌ型ジョイント部材２５の接合部２５２が桁材２２および根太材２３の中空部２２１、２３１に挿入され、中空部２２１、２３１の内側面に波板部２５９が接合される。また、同様に、４隅以外の外周に配された桁材２２と根太材２３とが、図１２（ｂ）に示すように、Ｔ型ジョイント部材２６により接合され、残りの井桁状に配された桁材２２と根太材２３とが、Ｔ型ジョイント部材２６と同様にしてＸ型ジョイント部材２７により接合されて、構造体２１が形成される。これらジョイント部材２４の下面には、図１２に示すように、緩衝材１５が取付けられる。緩衝材１５が取付けられた後、構造体２１のＸ方向に沿ってその一端部２１１に側縁材２８が配され、図１３に示すように、側縁材２８が桁材２２にねじＡが取付板部１６１のねじ孔１６４から桁材２２に挿通されて取付けられる。この側縁材２８に隣接させるように長尺床材１２が、その側縁部１２１を側縁材２８に沿うように構造体２１上に配され、側縁材２８の係止部１６３に係合される。以下、実施の形態１にかかる組立工程と同様の工程を行い、構造体２１のＹ方向にその他端部２１２まで長尺床材１２が敷設された後に、その構造体２１の他端部２１２上に敷設された長尺床材１２に沿って側縁材２８が配され、この長尺床材１２が側縁材２８の係止部１６３に係合され、ねじＡを用いて側縁材２８が桁材２２に取付けられて、デッキ２が組み立てられる。
【００４９】
上記したデッキ２によれば、桁材２２と根太材２３とを接合するジョイント材２４が設けられているので、平坦な構造体２１の形成を容易にすることができ、例えば、いも張り等もできる。その結果、デッキ１の高さを抑えることができる。そのため、そのため、人がバルコニーから転落するのを防止するようデッキ１の床面からバルコニーなどの手すりまでの高さを確保することが可能な構造体２１を自由に形成することができ、任意の形状の床面に対応させて構造体２１を延設することができる。
＜実施の形態３＞
この実施の形態３にかかるデッキ３は、上記実施の形態１にかかるデッキ１と、構造体と側縁材とが異なるだけであり、他の構成は同じである。したがって、実施の形態１と同様の構成には同一の符号を付し、その説明を省略し、実施の形態１と異なる構成を説明する。
【００５０】
構造体３１は、図１４に示すように、複数本の桁材３２および複数本の根太材３３からなる。複数本の桁材３２が一定の間隔をとって平行に配され、複数本の根太材３３がすべて桁材３２と直交する方向に配され、これら桁材３２と根太材３３とがジョイント部材３４により接合されて、井桁状に形成される。
【００５１】
構造体３１の両端部３１１、３１２になる桁材３２ａと、根太材３３とは、図１５（ａ）に示すように、中空部３２０、３３１を有し、上下面３２１、３２２、３３２、３３３にはその長手方向に凹部３２３、３３４が設けられている。この凹部３２３、３３４の底部３２３ａ、３３５には、その長手方向中央部にねじ溝３２４、３３６が設けられている。
【００５２】
残りの桁材３２（複数の側面で根太材３３を接合する桁材３２ｂ）は、図１５（ｂ）に示すように、並列した３つの中空部３２５、３２８を有した長尺体からなり、中央に位置する中空部３２５（以下、中央中空部という）の上面３２５ａには、その長手方向に上面凹部３２６が設けられている。この上面凹部３２６の底部３２６ａには、その長手方向中央部にねじ溝３２７が設けられている。また、両端に位置する中空部３２８（以下、両端中空部という）の下面３２８ａには、その長手方向に下面凹部３２９が設けられている。この下面凹部３２９の一内側面には、中央中空部３２５の外側面が用いられている。
【００５３】
ジョイント部材３４は、図１６に示すように、長壁３４１と短壁３４２と底板３４３とからなる幅広のＬ字型に成形された板材３４４からなり、長壁３４１からその外方に根太３３の中空部３３１に挿入し、中空部３３１の内側面および内上面と係合する挿入部３４５が延出されている。また、長壁３４１には、挿入部３４５を対称点として２個のねじ孔３４６が対称に設けられている。また、挿入部３４５の上面には、根太材３３の凹部３３４と係合するためにジョイント凹部３４７が設けられている。
【００５４】
また、構造体３１の両端部３１１、３１２（図１８（ｂ）参照）上には、デッキ１の美観を保持し安全性を確保するために長尺床材１２の側縁部１２１に沿ってアルミニウムからなる側縁材３５が取付けられている。
【００５５】
この側縁材３５は、図１７に示すように、中空部３５１を有する長尺体からなり、その上部３５２にねじ溝３５３が設けられている。このねじ溝３５３にねじＡを表面から裏面に打ち付け貫通させることで側縁材３５が桁材３２に取付けられている。また、この側縁材３５の上部３５２には、長尺床材１２の側縁部１２１の表面１２２を覆うために被覆部３５４が延出され立ち上げ形成されている。この被覆部３５４は、構造体３１上に敷設する長尺床材１２の表面に接するように高さを調整して、外方に直角に折曲されるとともにその先端部３５５が下方に折曲されてなる。この被覆部３５４は、その先端部３５５において長尺床材１２の側縁部１２１の表面１２２と係合されるものである。また、側縁材３５の下部３５６には、桁材３２に設けられた上面凹部３２３、３２６と嵌合する凸部３５７が設けられている。
【００５６】
次に、このデッキ３の組立工程について、以下に詳説する。
【００５７】
図１８（ａ）に示すように、複数本の桁材３２が一定の間隔をとって平行に配され、複数本の根太材３３がすべて桁材３２と直交する方向に配され、これら桁材３２と根太材３３とは内部が井桁状になった矩形状に配される。そして、これら配された桁材３２と根太材３３とはジョイント部材３４により接合され、構造体３５が形成される。この時、ねじＡがねじ孔３４６から桁材３２に挿通され、かつ、挿入部３４５が根太材３３の中空部３３１に挿入されるとともにその内側面および内上面と係合される。また、ジョイント部材３４の下面には緩衝材１５が取付けられる（図１９参照）。緩衝材１５が取付けられた後、図１８（ｂ）、図１９に示すように、構造体３１のＸ方向に沿ってその一端部３１１に側縁材３５が配され、側縁材３５の凸部３５７が桁材３２ａの上面凹部３２３、３２６に嵌められて、ねじＡがねじ溝３５３、３２４から桁材３２に挿通されて側縁材３５が桁材３２に取付けられる。この側縁材３５に隣接させるように長尺床材１２が、図１８（ｃ）に示すように、その側縁部１２１を側縁材３５に沿うように構造体３１上に配され、側縁材３５の先端部３５５に係合される。以下、実施の形態１にかかる組立工程と同様の工程を行い、構造体３１のＹ方向にその他端部３１２まで長尺床材１２が敷設された後に、図１８（ｄ）、図１９に示すように、その構造体３１の他端部３１２上に敷設された長尺床材１２に沿って側縁材３５が配される。配された側縁材３５の凸部３５７が桁材３２ａの上面凹部３２３、３２６に嵌められるとともに、側縁材３５の先端部３５５が長尺床材１２の側縁部１２１の表面１２２に係合され、ねじＡがねじ溝３５３、３２４から桁材３２に挿通されて側縁材３５が桁材３２ａに取付けられて、図１９に示すデッキ３が組み立てられる。
【００５８】
上記したデッキ３によれば、構造体３１の両端部３１１、３１２になる桁材３２ａの上下面３２１、３２２と根太材３３の上下面３３２、３３３とにねじ溝３３６を設けることで、上下面を任意に設定することができる。
【００５９】
なお、本実施の形態では、ジョイント部材３４の長壁３４１のねじ孔３４６が２個設けられているが、ねじ孔３４６の個数および位置は限定されない。
＜実施の形態４＞
この実施の形態４にかかるデッキ４は、上記実施の形態３にかかるデッキ３と、構造体とジョイント部材と側縁材とが異なるだけであり、他の構成は同じである。したがって、実施の形態３と同様の構成には同一の符号を付し、その説明を省略し、実施の形態３と異なる構成を説明する。
【００６０】
構造体４１は、実施の形態３にかかる構造体３１と同様に複数本の桁材４２および複数本の根太材４３からなり、井桁状に形成される。
【００６１】
構造体４１の両端部４１１、４１２になる桁材４２ａと、根太材４３とは、図２０（ａ）に示すように、中空部４２１、４３１を有し、上面４２１ａ、４３２にその長手方向に上面凹部４２２、４３３が設けられている。この上面凹部４２２、４３３の底部４２２ａ、４３４には、その長手方向中央部にねじ溝４２３、４３５が設けられている。
【００６２】
残りの桁材４２（複数の側面で根太材４３を接合する桁材４２ｂ）は、図２０（ｂ）に示すように、並列した３つの中空部４２４、４２７を有した長尺体からなり、中央に位置する中空部４２４（以下、中央中空部という）の上面４２４ａには、その長手方向に上面凹部４２５が設けられている。この上面凹部４２５の底部４２５ａには、その長手方向中央部にねじ溝４２６が設けられている。
【００６３】
ジョイント部材４４は、図２１に示すように、２体の板材（横板材４４１と縦板材４４２）が、立上板材４４３を介して直交して接合されてなり、横板材４４１の横方向（Ｚ方向、図２１（ａ）参照）中央部から縦板材４４２と同一方向に延出板材４４４が延出されている。また、縦板材４４２にはねじ孔４４５が２個設けられ、立上板材４４３には、縦板材４４２と延出板材４４４とを結ぶ線を対称軸として２個のねじ孔４４６が対称に設けられている。縦板材４４２と延出部材４４４とは、桁材４２と根太材４３とを接合させるために、根太材４３の外周を挟持するようにして係合するものである。
【００６４】
また、構造体４１の両端部４１１、４１２（図２３参照）上には、デッキ１の美観を保持し安全性を確保するために長尺床材１２の側縁部１２１に沿ってアルミニウムからなる側縁材４５が取付けられている。
【００６５】
この側縁材４５は、図２２に示すように、中空部４５１を有する長尺体からなり、その上部４５２にねじ溝４５３が設けられている。また、ねじ溝４５３は、実施の形態３にかかるねじ溝３５３より下記する被覆部４５４側に設けられている。また、側縁材４５の上部４５２には、被覆部４５４が延出され立ち上げ形成されている。この被覆部４５４は、構造体４１上に敷設する長尺床材１２の表面に接するように高さを調整して外方に直角に折曲され、その先端部４５５が下方に折曲されてなる。この被覆部４５４は、その先端部４５５において長尺床材１２の側縁部１２１の表面１２２と係合されるものである。また、側縁材４５の下部４５６には、桁材４２に設けられた上面凹部４２２、４２５と嵌合する凸部４５７が設けられている。
【００６６】
次に、このデッキ４の組立工程について、図２３を用いて以下に詳説する。
【００６７】
実施の形態３にかかる組立工程（図１８参照）と同様に複数本の桁材４２を一定の間隔をとって平行に配され、複数本の根太材４３がすべて桁材４２と直交する方向に配され、これら桁材４２と根太材４３とは内部が井桁状になった矩形状に配される。そして、これら配された桁材４２と根太材４３とは、ジョイント部材４４により接合され、構造体４１が形成される。この時、ジョイント部材４４の横板材４４１が桁材４２の下面４２８下に配され、縦板材４４２と延出部材４４４とは根太材４３の上下面４３２、４３６を挟持するようにして係合され、縦板材４４２のねじ孔４４５からねじＡが根太材４３に挿通され、立上板材４４３のねじ孔４４６からねじＡが桁材４２に挿通されて接合される。また、これらジョイント部材４４の下面４４７には、緩衝材１５が取付けられる。緩衝材１５が取付けられた後、構造体４１のＸ方向に沿ってその一端部４１１に側縁材４５が配され、側縁材４５の凸部４５７を桁材４２ａの上面凹部４２２ａに嵌めて、ねじＡがねじ溝４５３、４２３から桁材４２ａに挿通されて側縁材４５が桁材４２ａに取付けられる。この側縁材４５に隣接させるように長尺床材１２が、その側縁部１２１を側縁材４５に沿うように構造体４１上に配され、側縁材４５の先端部４５５に係合される。以下、実施の形態１にかかる組立工程と同様の工程を行い、構造体４１のＹ方向にその他端部４１２まで長尺床材１２が敷設された後に、その構造体４１の他端部４１１上に敷設された長尺床材１２に沿って側縁材４５が配される。配された側縁材４５の凸部４５７が桁材４２ａの上面凹部４２２に嵌められるとともに、側縁材４５の先端部４５５が長尺床材１２の側縁部１２１の表面１２２に係合され、ねじＡがねじ溝４５３、４２３から桁材４２ａに挿通されて側縁材４５が桁材４２ａに取付けられて、デッキ４が組み立てられる。＜実施の形態５＞
この実施の形態５にかかるデッキ５は、上記実施の形態４にかかるデッキ４と、構造体と側縁材とが異なるだけであり、他の構成は同じである。したがって、実施の形態４と同様の構成には同一の符号を付し、その説明を省略し、実施の形態４と異なる構成を説明する。
【００６８】
構造体５１は、図２８に示すように、複数本の桁材５２および複数本の根太材５３からなり、井桁状に形成される。
【００６９】
構造体５１の両端部５１１、５１２になる桁材５２０は、図２４に示すように、中空部５２１を有し、上面５２２にはその長手方向にねじ溝５２３が設けられている。また、一側面５２４の下部近傍から外方に根太材５３と接合する接合片５４が延出され、この接合片５４の上面５４１には、その長手方向中央部にねじ溝５４２が設けられている。
【００７０】
また、残りの桁材５２（複数の側面で根太材５３を接合する桁材５２５）は、図２５に示すように、中空部５２６を有し、上面５２７にはその長手方向中央部にねじ溝５２８が設けられている。また、対面する両側面５２９の下部近傍から外方に根太材５３と接合する接合片５５が延出され、この接合片５５の上面５５１には、その長手方向中央部にねじ溝５５２が設けられている。
【００７１】
根太材５３は、図２６に示すように、中空部５３１を有し、上面５３２にはその長手方向中央部にねじ溝５３３が設けられている。また、対面する両側面５３４の下端部５３５から外方に桁材５２と接合する接合片５６が延出され、この接合片５６の上面５６１には、その長手方向中央部にねじ溝５６２が設けられている。
【００７２】
また、構造体５１の両端部５１１、５１２（図２８参照）上には、デッキ１の美観を保持し安全性を確保するために長尺床材１２の側縁部１２１に沿ってアルミニウムからなる側縁材５７が取付けられている。
【００７３】
この側縁材５７は、図２７に示すように、中空部５７１を有する長尺体からなり、その上部５７２にねじ溝５７３が設けられている。また、ねじ溝５７３は、実施の形態３にかかるねじ溝３５３と同一位置に設けられている。また、側縁材５７の上部５７２には、被覆部５７４が延出され立ち上げ形成されている。この被覆部５７４は、構造体５１上に敷設する長尺床材１２の表面に接するように高さを調整して外方に直角に折曲され、その先端部５７５が下方に折曲されてなる。この被覆部５７４は、その先端部５７５において長尺床材１２の側縁部１２１の表面１２２と係合されるものである。
【００７４】
次に、このデッキ５の組立工程について、図２８、図２９を用いて以下に詳説する。
【００７５】
図２８（ａ）に示すように、複数本の桁材５２を一定の間隔をとって平行に配され、複数本の根太材５３がすべて桁材５２と直交する方向に配され、これら桁材５２と根太材５３とは内部が井桁状になった矩形状に配される。この時、夫々接合片５４、５５、５６は、夫々桁材５２０、５２５に設けられたねじ溝５４２、５５２に、根太材５３に設けられたねじ溝５６２を重ねて配される。そして、これら重ねて配されたねじ溝５４２、５５２、５６２からねじＡが挿通されて桁材５２と根太材５３とが接合され、構造体５１が形成される。また、桁材５２の下面には、図２９に示すように、緩衝材１５が取付けられる。緩衝材１５が取付けられた後、図２８（ｂ）に示すように、構造体５１のＸ方向に沿ってその一端部５１１に側縁材５７が配され、ねじＡが側縁材５７のねじ溝５７３から桁材５２０のねじ溝５２３に挿通されて側縁材５７が桁材５２０に取付けられる。この側縁材５７に隣接させるように長尺床材１２が、図２８（ｃ）に示すように、その側縁部１２１を側縁材５７に沿うように構造体５１上に配され、側縁材５７の先端部５７５に係合される。以下、実施の形態１にかかる組立工程と同様の工程を行い、構造体５１のＹ方向にその他端部５１２まで長尺床材１２が敷設された後に、図２８（ｄ）に示すように、その構造体５１の他端部５１２上に敷設された長尺床材１２に沿って側縁材５７が配される。配された側縁材５７の先端部５７５が長尺床材１２の側縁部１２１の表面１２２に係合されるとともに、ねじＡを用いて側縁材５７が桁材５２０のねじ溝５２３に取付けられて、図２９に示すデッキ５が組み立てられる。
【００７６】
上記したデッキ５によれば、桁材５２と根太材５３とに夫々接合片５４、５５、５６が設けられ、桁材５２０、５２５に夫々設けられたねじ溝５４２、５５２に、根太材５３に設けられたねじ溝５６２を重ねて接合することにより構造体５１が形成されるので、長尺床材１２を敷設する面が平坦な構造体５１の形成を容易にすることができ、その結果、長尺床材１２と構造体５１とからなるデッキ５の高さを抑えることができる。そのため、人がバルコニーから転落するのを防止するようデッキ５の床面からバルコニーなどの手すりまでの高さを確保することが可能な構造体５１を自由に形成することができ、任意の形状の床面に対応させて構造体５１を延設することができる。
【００７７】
ところで、構造体５１上に複数本の長尺床材１２を一定の間隔をとって配するが、最後に配した長尺床材１２が構造体５１上に収まらず、構造体５１上から長尺床材１２の一部がはみ出した場合、そのはみ出した部分を組立現場で縦切りする必要がある。この時、切断面が構造体５１に沿って切断されなかったり、切断不良により反り返りが生じたりする。しかし、本実施の形態５にかかるデッキ５によれば、側縁材５７の上部５７２に長尺床材１２の側縁部１２１を覆う被覆部５７４が延出され立ち上げ形成されているので、図３０に示すように、その切断部位１２３に沿って側縁材５７を取付けて被覆部５７４により切断部位１２３を覆い隠すことができ、切断部位１２３を覆い隠すことでデッキ５の美観を保ち、かつ、安全性を向上させることができる。また、切断することで生じる残留応力により湾曲した縦切りした長尺床材１２ａを被覆部５７４により押さえつけることにより、湾曲した長尺床材１２ａをまっすぐに矯正することができ、縦切りした長尺床材１２ａの構造体５１への敷設が容易になり、任意の形状の床面にデッキ５を敷くことができる。また、ねじＡで固定することができない切断した長尺床材１２ａの切断側面１２３を被覆部５７４により固定することができる。
【００７８】
なお、側縁材５７に、図３１に示すように実施の形態１にかかる側縁材１７を用いても側縁材５７を用いる場合と同一の作用がある。
＜実施の形態６＞
この実施の形態６にかかるデッキ６は、上記実施の形態５にかかるデッキ５と、側縁材が異なるだけであり、他の構成は同じである。したがって、実施の形態５と同様の構成には同一の符号を付し、その説明を省略し、実施の形態５と異なる構成を説明する。
【００７９】
側縁材６１は、上部側縁材６１１と下部側縁材６１２とからなり、図３２に示すように、これら上部側縁材６１１と下部側縁材６１２とにはそれぞれ互いに嵌合する、半球状に突起された嵌合部６１３、６１４が設けられている。
【００８０】
また、上部側縁材６１１の上面６１１ａには、長尺床材１２の側縁部１２１の表面１２２を覆うために被覆部６１５がその平面上に延出され、この被覆部６１５の先端部６１５ａは下方に折曲して形成されている。この被覆部６１５は、その先端部６１５ａにおいて長尺床材１２の側縁部１２１の表面１２２と係合されるものである。
【００８１】
また、下部側縁材６１２の上部６１６には、その長手方向中央部にねじ溝６１７が設けられている。このねじ溝６１７にねじＡが表面から裏面に打ち付け貫通されて下部側縁材６１２が構造体５１に取付けられている。
【００８２】
次に、このデッキ６の組立工程について、図３３を用いて以下に詳説する。この図３３は、手すりＢやサッシ下の水切りＣが設置された場所の床面に敷くデッキ６を示した図である。
【００８３】
複数本の桁材５２のうち構造体５１の両側部５１１、５１２に位置させる桁材５２０に、その長手方向（構造体５１のＸ方向）に沿って、ねじＡにより下部側縁材６１２のねじ溝６１７から桁材５２０に挿通されて下部側縁材６１２が取付けられる。その後、複数本の桁材５２を一定の間隔をとって平行に配され、複数本の根太材５３がすべて桁材５２と直交する方向に配され、これら桁材５２と根太材５３とは内部が井桁状になった矩形状に配される。この時、夫々接合片５４、５５、５６は、夫々桁材５２０、５２５に設けられたねじ溝５４２、５５２に、根太材５３に設けられたねじ溝５６２を重ねて配される。そして、これら重ねて配されたねじ溝５４２、５５２、５６２からねじＡが挿通されて桁材５２と根太材５３とが接合され、構造体５１が形成される。また、桁材５２０の下面には、図３３に示すように、緩衝材１５が取付けられる。緩衝材１５が取付けられた後、一端部５１１に取付けられた下部側縁材６１２に隣接させるように長尺床材１２がその側縁部１２１を下部側縁材６１２に沿うように配される。以下、実施の形態５にかかる組立工程と同様の工程を行い、構造体５１のＹ方向にその他端部５１２まで長尺床材１２が配される。その後、構造体５１の両端部５１１、５１２に取付けられた下部側縁材６１２の嵌合部６１４に、図３２に示す上部側縁材６１１の嵌合部６１３が嵌合されて、上部側縁材６１１が下部側縁材６１２に接合され、上部側縁材６１１の先端部６１５ａが長尺床材１２の側縁部１２１の表面１２２に係合されて、図３３に示すデッキ６が組み立てられる。
【００８４】
上記したデッキ６によれば、デッキ６を敷く床面の上空に手すりＢやサッシ下の水切りＣ等、床面に張り出した部分があり、その部分下方において電動ドライバー等の工具を用いてねじＡで長尺床材１２を構造体５１に固定する場合など、工具を用いることが難しい場所であっても、先に下部側縁材６１２を構造体５１上に取付け、長尺床材１２を構造体５１上に敷設した後に上部側縁材６１１を下部側縁材６１２に嵌合して側縁材６１を取付けるので、手すりＢやサッシ下の水切りＣ等、床面に張り出した部分を気にせずに容易に床面にデッキ６を敷き、側縁材６１を取付けることができる。また、図３３に示すように、ねじＡを用いて下部側縁材６１２を構造体１１に取付けた場合であっても、ねじＡを上部側縁材６１１で隠すことができ、外観上好ましい。
【００８５】
また、構造体５１に、実施の形態３にかかるジョイント部材３４を用いて形成する構造体３４を用いた場合、先に構造体３４の両端部３１１、３１２に下部側縁材６１２を取り付けて、後に桁材３２と根太材３３とを接合することもできるので、デッキ６を敷く床面の上空に手すりＢやサッシ下の水切りＣ等があっても、デッキ６を組み立てるのにより好ましい。
【００８６】
また、最後に配した長尺床材１２が構造体５１上に収まらず、構造体５１上から長尺床材１２の一部がはみ出した場合、そのはみ出した部分を組立現場で縦切りする必要があり、切断面が構造体５１に沿って切断されなかったり、切断不良により反り返りが生じたりするが、本実施の形態６にかかるデッキ６によれば、図３４に示すように、その切断部位１２３に沿って下部側縁材６１２が取付けられ、その切断部位１２３を上部側縁材６１１の被覆部６１５により覆い隠すことができる。そのため、デッキ６の美観を保ち、かつ、安全性を向上させることができる。また、切断することで生じる残留応力により湾曲した縦切りした長尺床材１２ａを被覆部６１５により押さえつけることにより、湾曲した長尺床材１２ａをまっすぐに矯正することができ、縦切りした長尺床材１２ａの構造体５１への敷設が容易になり、任意の形状の床面にデッキ６を敷くことができる。また、ねじＡで固定することができない切断した長尺床材１２ａの切断側面１２３を被覆部５７４により固定することができる。
【００８７】
なお、嵌合部６１３、６１４は、図３２に示すように半球状に突起されてなるが、これに限定されるものではなく、図３５に示すように三角状に突起されていてもよく、図３４に示すように下部側縁材６１２の上面６１８が内方に直角に折曲して形成されていてもよい。また、上部側縁材６１１と下部側縁材６１２とは、それぞれ互いに嵌合する嵌合部６１３、６１４が設けられていれば、例えば、図３６に示すように、上部側縁材６１１に、嵌合部６１３以外に下部側縁材６１２の外周面で係合する係合部６１９が設けられてもよい。また、本実施の形態６では、下部側縁材６１２を桁材５２０に取付けたが、デッキ６を敷く床面に合わせて根太５３に取付けてもよい。また、緩衝材１５は施工前に予め桁材５２０に取付けられてもよく、この場合、施工が容易となる。
【００８８】
【発明の効果】
以上、説明したように、本発明にかかるデッキによれば、デッキの美観を保持し安全性を確保するともに敷設する床面に対応させて、デッキの組立を容易にすることができる。
【００８９】
すなわち、構造体上に複数本の長尺床材が一定の間隔をとって敷設されてなるので、吸水による長尺床材表裏面の伸縮差から発生する反り上がりや、熱による長尺床材表裏面の伸縮差から発生する反り上がりを防止して、デッキ上を歩行する人が反り上がりにつまずくのを防止することができ、反り上がりによるデッキの美観を損ねることもない。
【００９０】
また、各々複数本ずつの桁材と根太材とを直交状態に接合して形成された構造体上に、複数本の長尺床材が一定の間隔をとって敷設されているので、構造体を自由に形成することができ、任意の形状の床面に対応させて構造体を延設することができる。
【図面の簡単な説明】
【図１】（ａ）は、本実施の形態１にかかるデッキの構造体上に長尺床材を敷設した平面図であり、（ｂ）は、本実施の形態１にかかるデッキの構造体の平面図である。
【図２】本実施の形態１にかかるデッキの概略構成図である。
【図３】（ａ）は、本実施の形態１にかかるデッキに用いたデッキ固定部材の正面図であり、（ｂ）は、その平面図であり、（ｃ）は、その側面図である。
【図４】本実施の形態１にかかるデッキに用いた側縁材の正面図である。
【図５】（ａ）〜（ｄ）は、本実施の形態１にかかるデッキの組立工程を示した図である。
【図６】本実施の形態１にかかるデッキに用いた構造体を任意の寸法で形成した図である。
【図７】（ａ）は、本実施の形態２にかかるデッキに用いた桁材と根太材との平面図であり、（ｂ）は、その正面図である。
【図８】本実施の形態２にかかるデッキに用いた構造体の平面図である。
【図９】（ａ）は、本実施の形態２にかかるデッキに用いたＬ型ジョイント部材の平面図であり、（ｂ）は、その正面図であり、（ｃ）は、その側面図であり、（ｄ）は、（ａ）のＤ−Ｄ線断面図である。
【図１０】（ａ）は、本実施の形態２にかかるデッキに用いたＴ型ジョイント部材の平面図であり、（ｂ）は、その正面図であり、（ｃ）は、その側面図であり、（ｄ）は、（ａ）のＥ−Ｅ線断面図である。
【図１１】（ａ）は、本実施の形態２にかかるデッキに用いたＸ型ジョイント部材の平面図であり、（ｂ）は、その正面図であり、（ｃ）は、その側面図であり、（ｄ）は、（ａ）のＦ−Ｆ線断面図である。
【図１２】（ａ）は、本実施の形態２にかかるデッキのＬ型ジョイント材を用いた根太材と桁材との接合を示した図であり、（ｂ）は、本実施の形態２にかかるデッキのＴ型ジョイント材を用いた根太材と桁材との接合を示した図である。
【図１３】本実施の形態２にかかるデッキの概略構成図である。
【図１４】本実施の形態３にかかるデッキの構造体の平面図である。
【図１５】（ａ）は、本実施の形態３にかかるデッキの構造体の両端部になる桁材と、根太材との正面図であり、（ｂ）は、その他の桁材の正面図である。
【図１６】（ａ）は、本実施の形態３にかかるデッキのジョイント部材の平面図であり、（ｂ）は、その正面図であり、（ｃ）は、（ａ）のＧ−Ｇ線断面図であり、（ｄ）は、その側面図である。
【図１７】本実施の形態３にかかるデッキの側縁材の正面図である。
【図１８】（ａ）〜（ｄ）は、本実施の形態３にかかるデッキの組立工程を示した図である。
【図１９】本実施の形態３にかかるデッキの概略構成図である。
【図２０】（ａ）は、本実施の形態４にかかるデッキの構造体の両端部になる桁材と、根太材との正面図であり、（ｂ）は、その他の桁材の正面図である。
【図２１】（ａ）は、本実施の形態４にかかるデッキのジョイント部材の平面図であり、（ｂ）は、その正面図であり、（ｃ）は、その側面図である。
【図２２】本実施の形態４にかかるデッキの側縁材の正面図である。
【図２３】本実施の形態４にかかるデッキの概略構成図である。
【図２４】本実施の形態５にかかるデッキの構造体の両端部になる桁材の正面図である。
【図２５】本実施の形態５にかかるデッキの構造体の両端部になる桁材を除く他の桁材の正面図である。
【図２６】本実施の形態５にかかるデッキの根太材の正面図である。
【図２７】本実施の形態５にかかるデッキの側縁材の正面図である。
【図２８】（ａ）〜（ｄ）は、本実施の形態５にかかるデッキの組立工程を示した図である。
【図２９】本実施の形態５にかかるデッキの概略構成図である。
【図３０】本実施の形態５にかかるデッキに用いる長尺床材に、縦切りした長尺床材を適用した図である。
【図３１】本実施の形態５にかかるデッキに、実施の形態１の側縁材を用いた場合のデッキの概略構成図である。
【図３２】本実施の形態６にかかるデッキの側縁材を示した図であり、側縁材の嵌合工程を示した図である。
【図３３】本実施の形態６にかかる、手すりやサッシ下の水切りが設置された場所の床面に敷くデッキの概略構成図である。
【図３４】本実施の形態６にかかるデッキに用いる長尺床材に、縦切りした長尺床材を適用した図である。
【図３５】本実施の形態６にかかるデッキに用いる他の形態の側縁材を示した図であり、側縁材の嵌合工程を示した図である。
【図３６】本実施の形態６にかかるデッキに用いる他の形態の側縁材を示した図である。
【符号の説明】
デッキ　　１、２、３、４、５、６
構造体　　１１、２１、３１、４１、５１
長尺床材　　１２
桁材　　１３、２２、３２、４２、５２
根太材　　１４、２３、３３、４３、５３
緩衝材　　１５
デッキ固定部材　　１６
側縁材　　１７、３５、４５
被覆部　　１７４、３５４、４５４、５７４、６１５
ジョイント材　　２４、３４、４４
接合片　　５４、５５、５６
上部側縁材　　６１１
下部側縁材　　６１２
嵌合部　　６１３、６１４
【図１】
2004019353.tif 000003
【図２】
2004019353.tif 000004
【図３】
2004019353.tif 000005
【図４】
2004019353.tif 000006
【図５】
2004019353.tif 000007
【図６】
2004019353.tif 000008
【図７】
2004019353.tif 000009
【図８】
2004019353.tif 000010
【図９】
2004019353.tif 000011
【図１０】
2004019353.tif 000012
【図１１】
2004019353.tif 000013
【図１２】
2004019353.tif 000014
【図１３】
2004019353.tif 000015
【図１４】
2004019353.tif 000016
【図１５】
2004019353.tif 000017
【図１６】
2004019353.tif 000018
【図１７】
2004019353.tif 000019
【図１８】
2004019353.tif 000020
【図１９】
2004019353.tif 000021
【図２０】
2004019353.tif 000022
【図２１】
2004019353.tif 000023
【図２２】
2004019353.tif 000024
【図２３】
2004019353.tif 000025
【図２４】
2004019353.tif 000026
【図２５】
2004019353.tif 000027
【図２６】
2004019353.tif 000028
【図２７】
2004019353.tif 000029
【図２８】
2004019353.tif 000030
【図２９】
2004019353.tif 000031
【図３０】
2004019353.tif 000032
【図３１】
2004019353.tif 000033
【図３２】
2004019353.tif 000034
【図３３】
2004019353.tif 000035
【図３４】
2004019353.tif 000036
【図３５】
2004019353.tif 000037
【図３６】
2004019353.tif 000038